(57)【要約】【課題】自動運転モードに適した手法により情報提供することができるようにする。【解決手段】車両より車両情報を取得する車両情報取得部３と、娯楽情報を取得する娯楽情報取得部４と、ドライバーの興味を示す情報を取得する興味情報取得部５と、画像情報を表示する表示部２と、表示部２を制御する表示制御部７とを備える。表示制御部７は、自動運転モードにおいては、娯楽情報取得部４で取得して表示部２により提供可能な娯楽情報をそれぞれ紹介するインデックス情報を、表示部２で順次表示し、ドライバーが興味を示した娯楽情報を提供する。【選択図】図１
2019206277.tif 000002
【特許請求の範囲】
【請求項１】
自動運転モードと手動運転モードとを切替えて走行可能な車両で使用される表示装置において、
前記車両より車両情報を取得する車両情報取得部と、
娯楽情報を取得する娯楽情報取得部と、
ドライバーの興味を示す情報を取得する興味情報取得部と、
画像情報を表示する表示部と、
前記表示部を制御する表示制御部とを備え、
前記表示制御部は、
前記車両情報により、自動運転モードか否か判定し、
自動運転モードにおいては、前記娯楽情報取得部で取得して前記表示部により提供可能な娯楽情報をそれぞれ紹介するインデックス情報を、前記表示部で順次表示して前記興味情報取得部で取得される情報によりドライバーが興味を示す娯楽情報を検出し、
前記表示部の表示を対応する娯楽情報の表示に切替えて、ドライバーが興味を示した娯楽情報を提供する
表示装置。
【請求項２】
前記表示制御部は、
前記表示部の表示を対応する娯楽情報の表示に切替える場合、ドライバーによる確認を得た後、表示を切替える
請求項１に記載の表示装置。
【請求項３】
前記表示制御部は、
前記娯楽情報に前記表示部の表示を切替えた後、
前記興味情報取得部で取得される情報によりドライバーが興味を失ったか否か判定し、
前記ドライバーが興味を失ったと判定される場合、前記表示部の表示を切替えて、前記インデックス情報を順次表示する
請求項１又は請求項２に記載の表示装置。
【請求項４】
前記表示制御部は、
前記車両情報により、手動運転モードへの切替えが検出されると、前記表示部の表示を手動運転モード時における表示に切替える
請求項１、請求項２、請求項３の何れかに記載の表示装置。
【請求項５】
自動運転モードと手動運転モードとを切替えて走行可能な車両で使用される表示装置における表示方法において、
前記車両より車両情報を取得する車両情報取得ステップと、
娯楽情報を取得する娯楽情報取得ステップと、
ドライバーの興味を示す情報を取得する興味情報取得ステップと、
画像情報を表示する表示部を制御する表示制御ステップとを備え、
前記表示制御ステップは、
前記車両情報により、自動運転モードか否か判定し、
自動運転モードにおいては、前記娯楽情報取得ステップで取得して前記表示部により提供可能な娯楽情報をそれぞれ紹介するインデックス情報を、前記表示部で順次表示して前記興味情報取得ステップで取得される情報によりドライバーが興味を示す娯楽情報を検出し、
前記表示部の表示を対応する娯楽情報の表示に切替えて、ドライバーが興味を示した娯楽情報を提供する
表示方法。
【請求項６】
演算処理回路による実行により所定の処理手順を実行させる表示装置の制御プログラムにおいて、
前記表示装置は、
自動運転モードと手動運転モードとを切替えて走行可能な車両で使用される表示装置であり、
前記処理手順は、
前記車両より車両情報を取得する車両情報取得ステップと、
娯楽情報を取得する娯楽情報取得ステップと、
ドライバーの興味を示す情報を取得する興味情報取得ステップと、
画像情報を表示する表示部を制御する表示制御ステップとを備え、
前記表示制御ステップは、
前記車両情報により、自動運転モードか否か判定し、
自動運転モードにおいては、前記娯楽情報取得ステップで取得して前記表示部により提供可能な娯楽情報をそれぞれ紹介するインデックス情報を、前記表示部で順次表示して前記興味情報取得ステップで取得される情報によりドライバーが興味を示す娯楽情報を検出し、
前記表示部の表示を対応する娯楽情報の表示に切替えて、ドライバーが興味を示した娯楽情報を提供する
表示装置の制御プログラム。
【発明の詳細な説明】
【技術分野】
【０００１】
本発明は、表示装置、表示方法及び表示装置の制御プログラムに関するものである。
【背景技術】
【０００２】
近年、手動運転モードと自動運転モードとを切替可能な車両に関する工夫が種々に提案されている。
なお自動運転モードは、自動運転機能によりドライバーがハンドル操作しなくても走行可能な走行モードであり、手動運転モードは、従来の車両における運転操作と同様に、ドライバーのハンドル操作により走行する走行モードである。
このような車両に関して、特許文献１には、自動運転モード時における情報表示の工夫が提案されている。
【先行技術文献】
【特許文献】
【０００３】
【特許文献１】特表２０１６−５３３３０２号公報
【発明の概要】
【発明が解決しようとする課題】
【０００４】
ところで自動運転モードで走行する場合、手動運転モードで走行する場合に比して運転における負担が格段に低減することにより、種々の情報を提供できると考えられ、例えば映画、ニュース等の娯楽に供する情報（以下、娯楽情報と呼ぶ）も提供できると考えられる。
しかしながら自動運転モードにおいても、手動運転モードで走行する場合程では無いものの、車両の前方等に注意を払うことが必要である。
これにより自動運転モードにより走行可能な車両においては、自動運転モードに適した手法により情報提供することが望まれる。
【０００５】
本発明は以上の点を考慮してなされたものであり、自動運転モードに適した手法により情報提供することができる表示装置、表示方法及び表示装置の制御プログラムを提案することを目的とする。
【課題を解決するための手段】
【０００６】
係る課題を解決するため、請求項１の発明に係る表示装置は、
自動運転モードと手動運転モードとを切替えて走行可能な車両で使用される表示装置において、
前記車両より車両情報を取得する車両情報取得部と、
娯楽情報を取得する娯楽情報取得部と、
ドライバーの興味を示す情報を取得する興味情報取得部と、
画像情報を表示する表示部と、
前記表示部を制御する表示制御部とを備え、
前記表示制御部は、
前記車両情報により、自動運転モードか否か判定し、
自動運転モードにおいては、前記娯楽情報取得部で取得して前記表示部により提供可能な娯楽情報をそれぞれ紹介するインデックス情報を、前記表示部で順次表示して前記興味情報取得部で取得される情報によりドライバーが興味を示す娯楽情報を検出し、
前記表示部の表示を対応する娯楽情報の表示に切替えて、ドライバーが興味を示した娯楽情報を提供する。
【０００７】
請求項１の構成によれば、ドライバーに過大な負担をかけることなく、ドライバーの興味を示す娯楽情報を提供することができ、これにより自動運転モードに適した手法により娯楽情報を提供することができる。
【０００８】
請求項２の発明は、
請求項１の構成において、
前記表示制御部は、
前記表示部の表示を対応する娯楽情報の表示に切替える場合、ドライバーによる確認を得た後、表示を切替える。
【０００９】
請求項２の構成によれば、ドライバーの確認により表示を切替えることにより、確実にドライバーの所望する娯楽情報を提供することができる。
【００１０】
請求項３の発明は、
請求項１又は請求項２の構成において、
前記表示制御部は、
前記娯楽情報に前記表示部の表示を切替えた後、
前記興味情報取得部で取得される情報によりドライバーが興味を失ったか否か判定し、
前記ドライバーが興味を失ったと判定される場合、前記表示部の表示を切替えて、前記インデックス情報を順次表示する。
【００１１】
請求項３の構成によれば、ドライバーが興味失った場合に、ドライバーの手を煩わせることなく、元のインデックス情報に表示を切替えることができ、使い勝手を向上することができる。
【００１２】
請求項４の発明は、
請求項１、請求項２、請求項３の何れかの構成において、
前記表示制御部は、
前記車両情報により、手動運転モードへの切替えが検出されると、前記表示部の表示を手動運転モード時における表示に切替える。
【００１３】
請求項４の構成によれば、手動運転モードへの切替えにより、対応する表示に切替えることにより、簡易に表示を切替えて使い勝手を向上することができる。
【００１４】
請求項５の発明は、
自動運転モードと手動運転モードとを切替えて走行可能な車両で使用される表示装置における表示方法において、
前記車両より車両情報を取得する車両情報取得ステップと、
娯楽情報を取得する娯楽情報取得ステップと、
ドライバーの興味を示す情報を取得する興味情報取得ステップと、
画像情報を表示する表示部を制御する表示制御ステップとを備え、
前記表示制御ステップは、
前記車両情報により、自動運転モードか否か判定し、
自動運転モードにおいては、前記娯楽情報取得ステップで取得して前記表示部により提供可能な娯楽情報をそれぞれ紹介するインデックス情報を、前記表示部で順次表示して前記興味情報取得ステップで取得される情報によりドライバーが興味を示す娯楽情報を検出し、
前記表示部の表示を対応する娯楽情報の表示に切替えて、ドライバーが興味を示した娯楽情報を提供する。
【００１５】
請求項５の構成によれば、ドライバーに過大な負担をかけることなく、ドライバーの興味を示す娯楽情報を提供することができ、これにより自動運転モードに適した手法により娯楽情報を提供することができる。
【００１６】
請求項６の発明は、
演算処理回路による実行により所定の処理手順を実行させる表示装置の制御プログラムにおいて、
前記表示装置は、
自動運転モードと手動運転モードとを切替えて走行可能な車両で使用される表示装置であり、
前記処理手順は、
前記車両より車両情報を取得する車両情報取得ステップと、
娯楽情報を取得する娯楽情報取得ステップと、
ドライバーの興味を示す情報を取得する興味情報取得ステップと、
画像情報を表示する表示部を制御する表示制御ステップとを備え、
前記表示制御ステップは、
前記車両情報により、自動運転モードか否か判定し、
自動運転モードにおいては、前記娯楽情報取得ステップで取得して前記表示部により提供可能な娯楽情報をそれぞれ紹介するインデックス情報を、前記表示部で順次表示して前記興味情報取得ステップで取得される情報によりドライバーが興味を示す娯楽情報を検出し、
前記表示部の表示を対応する娯楽情報の表示に切替えて、ドライバーが興味を示した娯楽情報を提供する。
【００１７】
請求項６の構成によれば、ドライバーに過大な負担をかけることなく、ドライバーの興味を示す娯楽情報を提供することができ、これにより自動運転モードに適した手法により娯楽情報を提供することができる。
【発明の効果】
【００１８】
本発明によれば、自動運転モードに適した手法により娯楽情報を提供することができる。
【図面の簡単な説明】
【００１９】
【図１】本発明の実施形態に係る表示装置を示すブロック図である。
【図２】図１の表示装置の動作の説明に供する図である。
【図３】図１の表示装置の動作の説明に供するフローチャートである。
【発明を実施するための形態】
【００２０】
〔第１実施形態〕
図１は、本発明の第１実施形態に係る表示装置を示す機能ブロック図である。
この表示装置１は、車両にてドライバーの操作により娯楽情報を含む各種の情報を提供する。
表示装置１は、いわゆる据え付けにより車両にて使用する場合に限らず、スマートフォンに代表される情報携帯端末装置により携帯して車両にて使用する場合にも広く適用することができる。
【００２１】
表示装置１は、表示部２、車両情報取得部３、娯楽情報取得部４、興味情報取得部５、操作部６、表示制御部７を備える。
表示装置１は、表示装置の制御プログラムを演算処理回路で実行することにより、図１に示す機能ブロックが構成される。
これによりこの制御プログラムの実行による処理手順は、車両情報取得部３、娯楽情報取得部４、興味情報取得部５、表示制御部７にそれぞれ対応して、対応する処理を実行する車両情報取得ステップ、娯楽情報取得ステップ、興味情報取得ステップ、表示制御ステップを備える。
【００２２】
表示部２は、表示制御部７の制御により、この表示装置１で提供する各種の画像情報を表示する。
表示部２は、画像表示パネルによるモニター、ヘッドアップディスプレイ等、種々の構成を広く適用することができる。
【００２３】
車両情報取得部３は、この表示装置１が搭載されている車両から車両情報を取得して表示制御部７に出力する。これにより表示装置１では、現在の走行モードを判別して、自動運転モードで走行しているのか、手動運転モードとで走行しているのかを判別できるように構成される。またさらに表示部２により走行モード、車速等の走行時の情報、燃料の減少、水温上昇等の警告を表示できるように構成される。
【００２４】
娯楽情報取得部４は、この表示装置１に設けられたストレージ、インターネットのアクセスにより、映画、ニュース等の娯楽情報を取得する。
ここでこの娯楽情報の取得にあっては、他の情報端末装置を介して、又は他の情報端末装置から取得して実行するようにしてもよく、これにより搭乗者の携帯するスマートフォン、この車両のカーナビゲーション装置等から取得するようにしても良い。
【００２５】
興味情報取得部５は、ドライバーの興味を示す情報を取得する。
ここでドライバーが表示部２で表示した画像情報に興味を示した場合、表示部２に顔を向けたり、体を向けたり、さらには表示部２に向けた視線滞留時間が増大することになる。
これにより例えばドライバーを前方より撮像して撮像結果を処理することにより、これらの変化を検出して、ドライバーが表示部２で表示した内容に興味を示したか否か判断することができ、さらには興味を失ったか否か判断することができる。
また例えば心拍、体温、脳波等の生体情報によっても、ドライバーの興味を判断することができる。
これにより興味情報取得部５は、これらの検出手法のうちの１つ又は複数に対応する構成により、ドライバーが興味を示しているか否かを判定可能な情報を取得して出力する。
【００２６】
操作部６は、ドライバーの各種操作を受け付けて表示制御部７に通知する。
ここで操作部６は、この種の表示装置に適用可能な各種の構成を適用することができ、各種の操作子、表示部２の表示画面に配置したタッチパネル等を適用することができ、さらには音声等によりドライバーの操作を受け付けるようにしてもよい。
【００２７】
表示制御部７は、この表示装置１の各部の動作を制御するコントローラである。
表示制御部７は、この車両の起動により、手動運転モード時における表示により表示部２で各種車両情報を表示する。ここでこの手動運転モード時における表示は、車両情報取得部３で取得される車両情報により、走行モード、車速等の走行時の情報、燃料の減少、水温上昇等の警告等である。
【００２８】
また表示制御部７は、車両情報により走行モードの切替えを検出し、自動運転モードにおいては、手動運転モード時と同様に車両情報を表示する。またこの自動運転モードにおいては、操作部６の操作により表示部２の表示を所定のメニュー画面の表示に切替える。
またこのメニュー画面におけるメニューの選択によりドライバーが娯楽情報の提供を指示すると、表示部２の表示をインデックス画像の表示に切替える。
【００２９】
ここでこのインデックス画像は、娯楽情報取得部４で取得して表示部２で提供可能な娯楽情報をそれぞれ紹介する情報である。
娯楽情報がニュースである場合、インデックス画像には、ニュースのタイトル、ニュースの概略等のテキストによる画像情報、ニュースに係る静止画像による画像情報等がインデックス画像に適応される。
また娯楽情報が映画等の動画である場合、代表的な１つのシーンにタイトルを付加した静止画像情報、コマーシャルに使用されるダイジェストによる１５秒程度の動画情報等がインデックス画像に適用される。
【００３０】
図２は、このダイジェスト画像の表示の説明に供する略線図である。
表示制御部７は、矢印ａにより示すように、提供可能な娯楽情報の各インデックス画像ＩＮ１、ＩＮ２、ＩＮ３、ＩＮ４を順次循環的に表示する。
すなわち表示制御部７は、各インデックス画像ＩＮ１、ＩＮ２、ＩＮ３、ＩＮ４にそれぞれドライバーが認識可能な表示時間（例えば１５秒程度）を割り当てて表示するようにして、表示時間の経過により表示中のインデックス画像（図２の例ではインデックス画像ＩＮ２）を続くインデックス画像（図２の例ではインデックス画像ＩＮ３）の表示に切替える。
これにより表示装置１では、簡易に提供可能な娯楽情報を確認できるように構成される。
なおこのインデックス画像の表示にあっては、対応する娯楽情報の過去の視聴の履歴により、ドライバーの趣味、嗜好を判断し、この趣味、嗜好に合致する順に表示することにより、使い勝手を向上することができる。
【００３１】
このようにインデックス画像を順次表示して、表示制御部７は、興味情報取得部５で取得される情報により、表示中のインデックス情報にドライバーが興味を示しているか否か判断する。
またこの判断によりドライバーが興味を示していると判断される場合、矢印Ａにより示すように、表示部２の表示をドライバーが興味を示したインデックス画像に係る娯楽情報Ｃ２の表示に切替える。
【００３２】
これにより表示装置１では、ドライバーに過大な負担をかけることなく、ドライバーの興味を示す娯楽情報を提供することができる。従ってドライバーにおいては、充分に周囲に注意を払いつつ、所望する娯楽情報を選択した後、この娯楽情報を楽しむことができる。これにより自動運転モードに適した手法により娯楽情報を提供することができる。
【００３３】
この娯楽情報Ｃ２に表示を切替える際に、表示制御部７は、インデックス画像の表示を一時中止して確認を促すメッセージ（図２の例では「〇〇を楽しみますか？」）Ｍを表示し、例えば操作部６が所定の操作を受け付けることでドライバーによる了解が得られると、表示を切替える。
またドライバーにより了解が得られない場合、インデックス画像の表示を再開する。
これにより興味の誤検出によりドライバーの希望しない娯楽情報を誤って提供しないようにすることができ、確実にドライバーの所望する娯楽情報を提供することができる。
【００３４】
また表示制御部７は、このようにして娯楽情報Ｃ２を提供するようにして、興味情報取得部５で取得される情報により、途中でドライバーの興味が失われたと判断される場合、矢印Ｂにより示すように、この娯楽情報Ｃ２の表示を中止し、元のインデックス画像ＩＮ１、ＩＮ２、ＩＮ３、ＩＮ４の表示を再開する。なおこの図２の例では、表示中の娯楽情報に続くインデックス画像ＩＮ３から表示を再開するようにしているものの、表示再開の順番については、種々に設定することが可能であり、例えばそれまで表示していた娯楽情報Ｃ２と同一カテゴリの娯楽情報に係るインデックス画像から表示するようにしてもよい。
これにより表示装置１では、ドライバーの手を煩わせることなく、元のインデックス情報に表示を切替えることができ、使い勝手を向上することができる。
【００３５】
なお娯楽情報をそれぞれグループ化して各グループのインデックス画像を設定するようにして、各グループのインデックス画像の選択により、選択されたグループに属する各娯楽情報のインデックス画像を表示して娯楽情報の選択を受け付けるようにして、階層構造によりインデックス画像の選択を受け付けて娯楽情報を提供するようにしてもよい。なおこのようなグループ化は、例えば映画にあっては、シリーズ物、ジャンルによりグループ化したり、ニュースにあっては、スポーツ、政治等のジャンルにより実行することが考えられる。
このようにすれば娯楽情報の選択を簡略化することができ、使い勝手を向上することができる。
【００３６】
また途中でドライバーの興味が失われることなく、娯楽情報Ｃ２の提供が完了すると、矢印Ｃにより示すように、同様にして、元のインデックス画像ＩＮ１、ＩＮ２、ＩＮ３、ＩＮ４の表示を再開する。
これにより表示装置１では、必要に応じて改めて娯楽情報を選択して娯楽情報を楽しむことができ、使い勝手を向上することができる。
【００３７】
また表示制御部７は、娯楽情報Ｃ２を提供している状態で、さらにはインデックス画像を表示している状態で、車両情報により手動運転モードへの切替えが検出されると、これら娯楽情報、インデックス画像の表示を中止し、表示部２の表示を手動運転モード時の表示に切替える。
これにより表示装置１では、手動運転モードへの切替えにより、いちいち表示を切替え操作することなく、表示部２の表示を対応する表示に切替えることができ、簡易に表示を切替えて使い勝手を向上することができる。
なお娯楽情報Ｃ２を提供している状態で、手動運転モードへの切替えにより娯楽情報Ｃ２の提供を終了する場合には、提供終了時点における娯楽情報の時間情報を記録するようにして、手動運転モードから自動運転モードへの切替えにより、この記録した時間情報により終了箇所より娯楽情報Ｃ２の提供を再開するようにしてもよい。
【００３８】
図３は、この表示制御部７による処理手順を示すフローチャートである。
表示装置１は、自動運転モードにより自動運転中の場合、インデックス画像を順番に表示し、ドライバーが興味を示さない場合、さらにインデックス画像を表示する（ＳＰ１−ＳＰ２−ＳＰ３−ＳＰ４−ＳＰ２）。
またインデックス画像を表示してドライバーが興味を示すと、ドライバーの確認を得る。ドライバーから確認が得られない場合、インデックス画像の表示を再開する（ＳＰ４−ＳＰ５−ＳＰ２−ＳＰ３）。
またドライバーから確認が得られると、インデックス画像に係る詳細情報である娯楽情報を表示する（ＳＰ５−ＳＰ６−ＳＰ７）。
【００３９】
また娯楽情報を表示して、手動運転モードへの切替わりが検出されると、手動運転モード時の表示に切替える（ＳＰ８−ＳＰ１０−ＳＰ１１）。
また娯楽情報の表示が完了すると、さらには途中でドライバーの興味が失われると、元のインデックス画像に表示を切替える（ＳＰ９−ＳＰ２−ＳＰ３）。
【００４０】
以上の構成によれば、自動運転モードにおいて、娯楽情報をそれぞれ紹介するインデックス情報を順次表示してドライバーが興味を示す娯楽情報を提供することにより、ドライバーに過大な負担をかけることなく、ドライバーの興味を示す娯楽情報を提供することができ、これにより自動運転モードに適した手法により娯楽情報を提供することができる。
【００４１】
また表示部の表示を対応する娯楽情報の表示に切替える場合、ドライバーによる確認を得た後、表示を切替えることにより、確実にドライバーの所望する娯楽情報を提供することができる。
【００４２】
また娯楽情報に表示部の表示を切替えた後、ドライバーが興味を失った場合、表示部の表示を切替えてインデックス情報を順次表示することにより、ドライバーの手を煩わせることなく、元のインデックス情報に表示を切替えることができ、使い勝手を向上することができる。
【００４３】
またさらに車両情報により、手動運転モードへの切替えが検出されると、表示部の表示を手動運転モード時における表示に切替えることにより、簡易に表示を切替えて使い勝手を向上することができる。
【００４４】
〔他の実施形態〕
以上、本発明の実施に好適な具体的な構成を詳述したが、本発明は、本発明の趣旨を逸脱しない範囲で、上述の実施形態の構成を種々に変更することができる。
【符号の説明】
【００４５】
１  表示装置
２  表示部
３  車両情報取得部
４  娯楽情報取得部
５  興味情報取得部
６  操作部
７  表示制御部
【図１】
2019206277.tif 000003
【図２】
2019206277.tif 000004
【図３】
2019206277.tif 000005